(57)【要約】【課題】多階層にわたる入力手順あるいは複雑な入力手順であっても簡単かつ短時間で目的とするギャンブル券を購入できるシステムおよびこれに用いられるバーコードブックを提供する。【解決手段】インターネット５を介して携帯電話機２から送信されてきた情報により公営競技券を発行するサーバーシステム１であって、入力ステップ毎に入力情報を特定するバーコードが記載されたバーコードブック４を用いて、携帯電話機２に接続したバーコードリーダ３により、入力ステップ毎に前記バーコードブックのバーコードを選択して読み込み、前記発行するギャンブル券と発行先を特定する。【選択図】  図１
2004213292.tif 000002
【特許請求の範囲】
【請求項１】
通信回線網を介して携帯端末機から送信されてきた情報により公営競技券を発行するサーバーシステムであって、
入力ステップ毎に入力情報を特定するバーコードが記載されたバーコードブックを用いて、携帯端末機に接続したバーコードリーダにより、入力ステップ毎に前記バーコードブックのバーコードを選択して読み込み、前記発行するギャンブル券と発行先を特定することを特徴とする公営競技券発行システム。
【請求項２】
前記携帯端末機から入力情報の完了信号が送信されてきたら、前記携帯端末機へ入力情報の一覧を送出する請求項１記載の公営競技券発行システム。
【請求項３】
前記携帯端末機から入力情報の一覧を確認する信号が送信されてきたら、購入券の料金総額を計算し、これを前記携帯端末機へ送出する請求項２記載の公営競技券発行システム。
【請求項４】
前記携帯端末機から購入券の料金総額を承認する信号が送信されてきたら、発行すべき券を確定し、これを前記携帯端末機および／または発券管理サーバーへ送出する請求項３記載の公営競技券発行システム。
【請求項５】
前記携帯端末機から購入券の入力情報を修正する信号が送信されてきたら、発行すべき券を未確定にした状態で、前記携帯端末機へ入力情報の一覧を送出する請求項３記載の公営競技券発行システム。
【請求項６】
前記バーコードブックに記載されたバーコードには、前記通信回線網を介して接続される前記サーバーシステムの位置を特定するバーコードが含まれる請求項１記載の公営競技券発行システム。
【請求項７】
前記バーコードブックに記載されたバーコードには、前記ギャンブル券を購入するユーザを特定するバーコードが含まれる請求項１記載の公営競技券発行システム。
【請求項８】
前記バーコードブックに記載されたバーコードには、前記公営競技の対象となる競技の開催場所を特定する複数のバーコードが含まれる請求項１記載の公営競技券発行システム。
【請求項９】
前記バーコードブックに記載されたバーコードには、前記公営競技のレース毎に式別を特定する複数のバーコードが含まれる請求項１記載の公営競技券発行システム。
【請求項１０】
前記バーコードブックに記載されたバーコードには、前記公営競技の対象となる競技者を特定する複数のバーコードが含まれる請求項１記載の公営競技券発行システム。
【請求項１１】
前記バーコードブックに記載されたバーコードには、前記公営競技の対象となる枠番を特定する複数のバーコードが含まれる請求項１記載の公営競技券発行システム。
【請求項１２】
前記バーコードブックに記載されたバーコードには、前記公営競技券の購入枚数を特定する複数のバーコードが含まれる請求項１記載の公営競技券発行システム。
【請求項１３】
通信回線網を介して携帯端末機から送信されてきた情報により公営競技券を発行するサーバーシステムに用いられるバーコードブックであって、入力ステップ毎に入力情報を特定するバーコードが記載され、携帯端末機に接続したバーコードリーダにより、入力ステップ毎に前記バーコードを選択して読み込んで前記サーバーシステムに送信し、前記発行するギャンブル券と発行先を特定するために用いられる公営競技券発行システム用バーコードブック。
【請求項１４】
前記バーコードブックに記載されたバーコードには、前記通信回線網を介して接続される前記サーバーシステムの位置、前記ギャンブル券を購入するユーザ、前記公営競技の対象となる競技の開催場所、前記公営競技のレース毎に式別、前記公営競技の対象となる競技者、前記公営競技の対象となる枠番、前記公営競技券の購入枚数をそれぞれ特定するバーコードの少なくとも一つのバーコードが含まれる請求項１３記載の公営競技券発行システム用バーコードブック。
【発明の詳細な説明】
【０００１】
【発明の属する技術分野】
本発明は、競馬、競輪、競艇に代表される公営競技（公営ギャンブル）の券を購入するためのシステムおよびこれに用いられるバーコードブックに関する。
【０００２】
【従来の技術】
パーソナルコンピュータや携帯電話機を用いてインターネットサイトにアクセスし、公演やスポーツ競技のチケットを購入することは、従来より行われている。
【０００３】
【発明が解決しようとする課題】
しかしながら、競馬、競輪あるいは競艇において馬券、車券あるいは船券を購入しようとする際には、目的とする券を特定するための入力データが多階層にわたり、特に携帯電話機を用いて購入する場合には、入力の手間が煩雑であり、また、入力途中でミスをすると最初から入力し直したりする必要があった。
【０００４】
また、こうしたギャンブル券はレース開始直前の短期間で購入する機会が多いので、短時間で購入操作できるシステムが求められていた。
【０００５】
【課題を解決するための手段】
本発明は、多階層にわたる入力手順あるいは複雑な入力手順であっても簡単かつ短時間で目的とするギャンブル券を購入できるシステムおよびこれに用いられるバーコードブックを提供することを目的とする。
【０００６】
上記目的を達成するために、本発明によれば、通信回線網を介して携帯端末機から送信されてきた情報により公営競技券を発行するサーバーシステムであって、入力ステップ毎に入力情報を特定するバーコードが記載されたバーコードブックを用いて、携帯端末機に接続したバーコードリーダにより、入力ステップ毎に前記バーコードブックのバーコードを選択して読み込み、前記発行するギャンブル券と発行先を特定することを特徴とする公営競技券発行システムが提供される。
【０００７】
また、本発明によれば、通信回線網を介して携帯端末機から送信されてきた情報により公営競技券を発行するサーバーシステムに用いられるバーコードブックであって、入力ステップ毎に入力情報を特定するバーコードが記載され、携帯端末機に接続したバーコードリーダにより、入力ステップ毎に前記バーコードを選択して読み込んで前記サーバーシステムに送信し、前記発行するギャンブル券と発行先を特定するために用いられる公営競技券発行システム用バーコードブックが提供される。
【０００８】
本発明の公営競技券発行システムおよびこれに用いられるバーコードブックでは、多階層にわたる、あるいは複雑な入力操作を形態端末機に接続されたバーコードリーダと、予め入力すべき入力情報が入力ステップ別に記載されたバーコードブックとを用いて行うので、ギャンブル券を購入しようとするユーザは、携帯端末機の入力キーを殆ど押すことなく目的とする券を簡単かつ短時間で購入することができる。
【０００９】
また、バーコードブックとバーコードリーダを用いた入力操作とすることで、入力キーを押す操作に比べて入力ミスが著しく少なくなり、購入間違いを防止できる。
【００１０】
上記発明において、公営競技券とは、競馬、競輪または競艇その他の公営競技が行われる競技の賭券をいい、特に複数の競技者（馬、自転車、艇そのものを含む意味）が複数の枠に分けられて、購入方式も単勝、複勝、枠番連勝等々多岐にわたるギャンブル券に適用して好ましいものである。
【００１１】
【発明の実施の形態】
以下、本発明の実施形態を図面に基づいて説明する。
最初に本実施形態の馬券発行システム全体の構成を説明する。図１は本発明の実施形態に係る公営競技券発行システム全体を示すブロック図であり、このシステムは、馬券を購入するユーザが所有する携帯電話機２と、この携帯電話機２に接続されてバーコードを読み取るためのバーコードリーダ３と、馬券の購入に際し種々の入力情報がバーコード化されて記載されたバーコードブック４と、インターネット５などの通信回線網と、このインターネット５を介してユーザの携帯電話機２との間で情報通信および情報処理を実行する馬券発行サーバ１とからなる。
【００１２】
バーコードリーダ３は、携帯電話機２のデータ入出力端子２１に直接接続される入出力端子３１と、バーコードを読み取る読み取り部３２と、バーコードのよりミリを指示するための指示ボタン３３とを備え、入出力端子３１を携帯電話機２の入出力端子２１に接続した状態で、目的とするバーコードに読み取り部３２を接触させ、指示ボタン３３を押すと、バーコードのデータが携帯電話機２に取り込まれ、これがインターネット５を介して馬券発行サーバ１に送出される。
【００１３】
馬券発行サーバ１は、インターネット５を介して各ユーザの携帯電話機２との間で情報通信を行う送受信部１１と、携帯電話機２から送られてきた情報を処理する情報処理部１２と、情報処理部１２にて処理された情報の一部または全部を記憶する記憶部１３とから構成されている。馬券発行サーバ１は、実際にはパーソナルコンピュータなどで構成することができる。
【００１４】
バーコードブック４は、ユーザが携帯電話機２を用いて馬券を購入する際に、必要とされる入力データがバーコード化された状態で記載されたものであり、本例では、馬券発行サーバ１にアクセスする際に必要とされる基本情報を入力する基本情報入力ページ（図３）、競馬場を選択するための競馬場選択ページ（図４）、レースおよび馬券の種類（単勝、複勝など）を選択するためのレースおよび式別選択ページ（図５）、馬番を選択するための馬番選択ページ（図６）、枠番を選択するための枠番選択ページ（図７）、馬券の購入枚数を選択するための購入枚数選択ページ（図８）といったページがポケットサイズの冊子にされている。したがって、ユーザは携帯電話機２およびバーコードリーダ３とともにこのバーコードブック４を携帯することで、どこからでも馬券を購入することができる。
【００１５】
次に、図２のフローチャートに基づいて馬券の購入手順を説明する。
ユーザは予め馬券発行サーバに対する加入者番号およびパスワードなどを登録しておく。馬券の購入を希望するときは、自分の携帯電話機２にバーコードリーダ３を接続し、図３に示すバーコードブック４の基本情報入力ページを開き、最初の接続バーコード４０１をバーコードリーダ３で読み取る（ステップ１００）。このバーコード４０１は馬券発行サーバのＵＲＬがバーコード化されたものであり、これにより携帯電話機２の待ち受け画面から自動的に接続される。
【００１６】
次いで、携帯電話機２の画面のカーソルを加入者番号欄４０３に合わせ、バーコードブック４の加入者番号のバーコード４０２をバーコードリーダ３で読み取る（ステップ１０１）。このバーコード４０２は、そのユーザの加入者番号がバーコード化されたものであり、これにより加入者番号が携帯電話機２の加入者番号欄４０３に自動的に入力される。
【００１７】
次いで、携帯電話機２の画面のカーソルを暗証番号欄４０４に合わせ、ユーザは携帯電話機２の数字キーを押してパスワードを入力する（ステップ１０２）。本例のパスワード入力は、セキュリティの点からバーコード化せず、ユーザが自分で手入力することにしている。パスワードを入力したら、携帯電話機２の画面の送信ボタン４０５を押す。これにより、そのユーザの加入者番号とパスワードが、携帯電話機２からインターネット５を介して馬券発行サーバ１に送出される。
【００１８】
馬券発行サーバ１では、送受信部１１で加入者番号とパスワードを受信し、これを情報処理部１２に送る。情報処理部１２では、記憶部１３に記憶されている加入者番号とパスワードを照合して、正しければ携帯電話機２に図４に示す投票メニューの情報を送信する。なお、加入者番号とパスワードが不一致であるときは、携帯電話機２に「パスワードが違います」というメッセージを送信する。
【００１９】
図４に示す投票メニュー画面は、本例の馬券発行システムにおける初期画面であって、記憶部１３に記憶されているそのユーザの預金残高、購入限度額を同時に表示する。この投票メニューでは、まず購入を希望する競馬場を選択する（ステップ１０３）。競馬場の選択にあたり、バーコードブック４の競馬場選択ページに記載された競馬場バーコード４０６を用い、ユーザが希望する競馬場のバーコード４０６をバーコードリーダ３で読み取る。
【００２０】
なお、図４に示す投票メニューには、競馬場の選択の他、情報メニュー、照会メニュー、開催案内および操作ガイドのボタンが設けられており、カーソルを所望のボタンに合わせてこれを押すことで、馬券発行サーバ１に送信され、ここから所望の情報を携帯電話機２の画面に表示することができる。
【００２１】
所望の競馬場を選択すると、次に馬券発行サーバ１から携帯電話機２に対して、図５に示す投票入力に関する画面情報が送信される。この投票入力の画面には、ステップ１０３で選択した競馬場で開催されるレース（同図に示す例では１〜１０レース）が空欄で表示される。
【００２２】
次いで、ユーザは、希望のレースと馬券の種類を選択する（ステップ１０４）。本例のバーコードブック４は、１レースから１２レースまで、レース別にそれぞれ馬券の種類をバーコード化している。すなわち、図５の右図に示すページは、第１レースに関する馬券の種類をバーコード化したものであり、図示は省略したが、次のページには第２レースの馬券の種類をバーコード化したものが記載され、これが第１２レースまで記載されている。すなわち、本例のようなバーコードブック４を用いればレース番号を別途入力するステップが省略できる。
【００２３】
たとえば、ユーザが第１レースは単勝の馬券を希望する場合は、図５の右図に記載された単勝のバーコード４０７をバーコードリーダ３で読み取り、複勝を希望する場合は複勝のバーコード４０８をバーコードリーダ３で読み取る。
【００２４】
レースおよび馬券種類（式別）を選択したら、次に馬番または枠番を選択する（ステップ１０５）。たとえば、第１レースで単勝を選択した場合は、図６に示す馬番選択ページから、ユーザが予想した一着の馬番のバーコード４０９をバーコードリーダ３で読み取る。また、第１レースで複勝を選択した場合は、ユーザが予想した一着〜三着の馬番（希望数）のバーコード４０９をバーコードリーダ３で読み取る。また、第１レースで枠番連勝を選択した場合は、馬番選択ページではなく、図７に示す枠番選択ページを開き、ここに記載されたバーコード４１０の中からユーザが予想する枠番（２つの枠）をバーコードリーダ３で読み取る。
【００２５】
馬番または枠番を選択したら、次に枚数選択ページを開き、ここに記載された枚数のバーコード４１１の中からユーザが希望する馬券の購入枚数を選択する（ステップ１０６）。
【００２６】
希望する全てのレースについて、以上のステップ１０４〜ステップ１０６を繰り返し、全ての入力を終えたら図９に示す入力終了ボタン４１２を押す。
【００２７】
以上で希望する馬券の購入操作が終了するが、馬券発行サーバ１は、ステップ１０３〜ステップ１０６により送信されてきた情報を情報処理部１２で処理し、日付、競馬場名、レース、馬券種類、購入枚数（または金額）および合計金額に関する画面情報をユーザの携帯電話機２に送信する。これにより、携帯電話機２には、図１０に示す入力終了確認画面が表示されるので、ユーザは表示された内容を確認して、正しければ、確認のために合計金額を数字キーを使って手入力し、投票ボタン４１３を押す（ステップ１０８）。これにより、この承認信号が馬券発行サーバ１に送信され、情報処理部１２にて馬券の正式発行処理が行われる。これと同時に、携帯電話機２に対し、図１１に示す投票結果を知らせる画面情報が送信される。
【００２８】
ステップ１０７にて、携帯電話機２に表示された合計金額などの内容に誤りがあった場合や修正したい場合には、図１０に示す投票内容修正ボタン４１４を押す。これにより、馬券発行サーバ１は携帯電話機２に対し、図１２に示す投票修正画面情報を送信する（ステップ１１０）。ユーザは、修正したい個所に携帯電話機２のカーソルを会わせ、バーコードブック４の該当するバーコードまたは手入力により所望の修正を加えたのち、修正終了ボタン４１５を押す（ステップ１１１）。これにより、馬券発行サーバ１は、修正された内容の画面情報を携帯電話機２に送信する（ステップ１０７）。
【００２９】
以上で馬券の購入が終了する。
【００３０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３１】
【発明の効果】
以上述べたように本発明によれば、多階層にわたる入力手順あるいは複雑な入力手順であっても簡単かつ短時間で目的とするギャンブル券を購入できるシステムおよびこれに用いられるバーコードブックを提供することができる。
【図面の簡単な説明】
【図１】本発明の実施形態に係る公営競技券発行システム全体を示すブロック図である。
【図２】本発明の実施形態に係る公営競技券発行システムの操作手順を示すフローチャートである。
【図３】本発明の実施形態に係るバーコードブックの基本情報入力ページを示す図である。
【図４】本発明の実施形態に係るバーコードブックの競馬場選択ページを示す図である。
【図５】本発明の実施形態に係るバーコードブックのレースおよび式別選択ページを示す図である。
【図６】本発明の実施形態に係るバーコードブックの馬番選択ページを示す図である。
【図７】本発明の実施形態に係るバーコードブックの枠番選択ページを示す図である。
【図８】本発明の実施形態に係るバーコードブックの購入枚数選択ページを示す図である。
【図９】本発明の実施形態に係る公営競技券発行システムの入力終了確認画面を示す図である。
【図１０】本発明の実施形態に係る公営競技券発行システムの合計金額の確認画面を示す図である。
【図１１】本発明の実施形態に係る公営競技券発行システムの購入結果画面を示す図である。
【図１２】本発明の実施形態に係る公営競技券発行システムの修正画面を示す図である。
【符号の説明】
１…馬券発行サーバ（公営競技券発行サーバ）
２…携帯電話機（携帯端末機）
３…バーコードリーダ
４…バーコードブック
５…インターネット（通信回線網）
【図１】
2004213292.tif 000003
【図２】
2004213292.tif 000004
【図３】
2004213292.tif 000005
【図４】
2004213292.tif 000006
【図５】
2004213292.tif 000007
【図６】
2004213292.tif 000008
【図７】
2004213292.tif 000009
【図８】
2004213292.tif 000010
【図９】
2004213292.tif 000011
【図１０】
2004213292.tif 000012
【図１１】
2004213292.tif 000013
【図１２】
2004213292.tif 000014